(57)【要約】【課題】上下に積み重ねて接合される複数の壁パネルの各端縁をコーナー部材に作業性良く簡単に結合することができる結合具とこれを用いた壁パネルの結合方法の提供。【解決手段】コーナーポスト（コーナー部材）３０と各壁パネル２０の裏面側端縁にそれぞれ取り付けられる結合部材１Ａ，１Ｂと、両結合部材１Ａ，１Ｂが各々係合する上下方向に長い２つの係合孔１２，１３を並設して成る連結部材１１とで構成される結合具を用いて、複数の壁パネル２０の各端縁をコーナーポスト３０に結合する方法として、結合部材１Ａを連結部材１１の係合孔１２に係合させて連結部材１１を結合部材１Ａに仮止めした状態で、壁パネル２０に取り付けられた結合部材１Ｂを連結部材１１の係合孔１３に係合させた後、連結部材１１の上端を叩き込んで該連結部材１１を下方に押し込み、該連結部材１１の係合孔１２，１３に両結合部材１Ａ，１Ｂを係止させる。【選択図】図８
2006016837.tif 000002
【特許請求の範囲】
【請求項１】
上下に積み重ねて接合される複数の壁パネルの各端縁をコーナー部材に結合するための結合具であって、
前記コーナー部材と各壁パネルの裏面側端縁にそれぞれ取り付けられる結合部材Ａ，Ｂと、両結合部材Ａ，Ｂが各々係合する上下方向に長い２つの係合孔を並設して成る連結部材とで構成されることを特徴とする結合具。
【請求項２】
前記連結部材に形成された２つの係合孔には、前記結合部材Ａ，Ｂが通過するための幅広の挿通孔部と、各結合部材Ａ，Ｂが係合するための上下方向に長い幅狭のスリット孔部が形成されていることを特徴とする請求項１記載の結合具。
【請求項３】
前記連結部材に形成された２つの係合孔の前記挿通孔部のうち、前記壁パネルに取り付けられた結合部材Ａが通過する一方の挿通孔部の上下方向長さを他方の挿通孔部のそれよりも長く設定したことを特徴とする請求項２記載の結合具。
【請求項４】
前記連結部材に形成された２つの係合孔のうち、少なくとも前記コーナー部材に取り付けられた結合部材Ａが係合する一方の係合孔に、前記連結部材を仮止めしておくための突起を形成したことを特徴とする請求項１〜３の何れかに記載の結合具。
【請求項５】
前記連結部材に形成された各係合孔の挿通孔部とスリット部とをテーパ面によって接続したことを特徴とする請求項２〜４の何れかに記載の結合具。
【請求項６】
前記連結部材の上端部に、横方向に長いスリット孔を上下方向に複数形成したことを特徴とする請求項１〜５の何れかに記載の結合具。
【請求項７】
コーナー部材と各壁パネルの裏面側端縁にそれぞれ取り付けられる結合部材Ａ，Ｂと、両結合部材Ａ，Ｂが各々係合する上下方向に長い２つの係合孔を並設して成る連結部材とで構成される結合具を用いて、上下に積み重ねて接合される複数の壁パネルの各端縁をコーナー部材に結合する方法であって、
前記コーナー部材に取り付けられた前記結合部材Ａを前記連結部材の係合孔に係合させて連結部材を結合部材Ａに仮止めした状態で、前記壁パネルを起立させてこれに取り付けられた前記結合部材Ｂを連結部材の係合孔に係合させた後、連結部材の上端を叩き込んで該連結部材を下方に押し込み、該連結部材の係合孔に両結合部材Ａ，Ｂを係止させて壁パネルの各端縁をコーナー部材に結合するようにしたことを特徴とする壁パネルの結合方法。
【発明の詳細な説明】
【技術分野】
【０００１】
本発明は、ユニットバスの壁面等の構築に際して上下に積み重ねて接合される複数の壁パネルの各端縁をコーナー部材に結合するための結合具とこれを用いた壁パネルの結合方法に関するものである。
【背景技術】
【０００２】
例えば、システムバスルームの壁面を構築する形態として、図１２に示すように、縦長の複数の壁パネル１２０を左右方向に結合する方式が専ら採用されていた。この方式において、隣接する壁パネル１２０同士を結合するための結合具が種々提案されている（特許文献１，２）。その一例を図に示す。
【０００３】
即ち、図１３は従来の結合具とこれによって結合される２枚の壁パネル１２０Ａ，１２０Ｂの正面図であり、同図に示すように、結合具は、壁パネル１２０Ａ，１２Ｂの高さに略等しい長さの長尺の金属プレートで構成された連結部材１１１と、結合すべき２枚の壁パネル１２０Ａ，１２０Ｂの裏面側端部の高さ方向に沿って取り付けられた複数の樹脂製の結合部材１０１Ａ，１０１Ｂとで構成されている。ここで、連結部材１１１の上端と下端部には左右一対の係合孔１１２，１１３が上下２段に亘って２組それぞれ形成され、中間高さ位置には１組の係合孔１１２，１１３が形成されている。又、複数の前記結合部材１０１Ａ，１０１Ｂは、連結部材１１１に形成された前記係合孔１１２，１１３に対応する位置に取り付けられている。
【０００４】
而して、隣接する２枚の壁パネル１２０Ａ，１２０Ｂを結合具を用いて結合するには、図示のように２枚の壁パネル１２０Ａ，１２０Ｂを略垂直に立ててそれらの側端縁同士を突き合わせて接合し、これらの上方から連結部材１１１を下げて位置決めし、これに形成された複数の係合孔１１２，１１３に壁パネル１２０Ａ，１２０Ｂ側の前記結合部材１０１Ａ，１０１Ｂをそれぞれ係合した後、連結部材１１１の上端をプラスチックハンマー等で叩き込んで該連結部材１１１を下方に押し込み、その係合孔１１２，１１３に結合部材１０１Ａ，１０１Ｂを係止させる。すると、両壁パネル１２０Ａ，１２０Ｂ同士が結合具（結合部材１０１Ａ，１０１Ｂと連結部材１１１）によって結合される。
【０００５】
【特許文献１】特許第２６２７３９４号公報
【特許文献２】特開２００３−１７１９９１号公報
【発明の開示】
【発明が解決しようとする課題】
【０００６】
ところが、図１３に示す従来の連結具は、縦長の複数の壁パネル１２０Ａ，１２０Ｂを左右方向に結合するものであるため、連結部材１１１が長尺となり、その取り扱いが容易でなく、特に壁パネル１２０Ａ，１２０Ｂの上方からこの連結部材１１１を位置決めし、これに形成された全ての係合孔１１２，１１３に結合部材１０１Ａ，１０１Ｂを同時に係合させる作業は容易ではなかった。
【０００７】
又、連結部材１１１は、長尺であるためにその材料コストも高くなり、重さも重くなるという問題もあった。
【０００８】
本発明は上記問題に鑑みてなされたもので、その目的とする処は、上下に積み重ねて接合される複数の壁パネルの各端縁をコーナー部材に作業性良く簡単に結合することができるとともに、軽量化及びコストダウンを図ることができる結合具とこれを用いた壁パネルの結合方法を提供することにある。
【課題を解決するための手段】
【０００９】
上記目的を達成するため、請求項１記載の発明は、上下に積み重ねて接合される複数の壁パネルの各端縁をコーナー部材に結合するための結合具を、前記コーナー部材と各壁パネルの裏面側端縁にそれぞれ取り付けられる結合部材Ａ，Ｂと、両結合部材Ａ，Ｂが各々係合する上下方向に長い２つの係合孔を並設して成る連結部材とで構成したことを特徴とする。
【００１０】
請求項２記載の発明は、請求項１記載の発明において、前記連結部材に形成された２つの係合孔には、前記結合部材Ａ，Ｂが通過するための幅広の挿通孔部と、各結合部材Ａ，Ｂが係合するための上下方向に長い幅狭のスリット孔部が形成されていることを特徴とする。
【００１１】
請求項３記載の発明は、請求項２記載の発明において、前記連結部材に形成された２つの係合孔の前記挿通孔部のうち、前記壁パネルに取り付けられた結合部材Ａが通過する一方の挿通孔部の上下方向長さを他方の挿通孔部のそれよりも長く設定したことを特徴とする。
【００１２】
請求項４記載の発明は、請求項１〜３の何れかに記載の発明において、前記連結部材に形成された２つの係合孔のうち、少なくとも前記コーナー部材に取り付けられた結合部材Ａが係合する一方の係合孔に、前記連結部材を仮止めしておくための突起を形成したことを特徴とする。
【００１３】
請求項５記載の発明は、請求項２〜４の何れかに記載の発明において、前記連結部材に形成された各係合孔の挿通孔部とスリット部とをテーパ面によって接続したことを特徴とする。
【００１４】
請求項６記載の発明において、請求項１〜５の何れかに記載の発明において、前記連結部材の上端部に、横方向に長いスリット孔を上下方向に複数形成したことを特徴とする。
【００１５】
請求項７記載の発明は、コーナー部材と各壁パネルの裏面側端縁にそれぞれ取り付けられる結合部材Ａ，Ｂと、両結合部材Ａ，Ｂが各々係合する上下方向に長い２つの係合孔を並設して成る連結部材とで構成される結合具を用いて、上下に積み重ねて接合される複数の壁パネルの各端縁をコーナー部材に結合する方法として、前記コーナー部材に取り付けられた前記結合部材Ａを前記連結部材の係合孔に係合させて連結部材を結合部材Ａに仮止めした状態で、前記壁パネルを起立させてこれに取り付けられた前記結合部材Ｂを連結部材の係合孔に係合させた後、連結部材の上端を叩き込んで該連結部材を下方に押し込み、該連結部材の係合孔に両結合部材Ａ，Ｂを係止させて壁パネルの各端縁をコーナー部材に結合するようにしたことを特徴とする。
【発明の効果】
【００１６】
請求項１記載の発明によれば、結合具は、上下に積み重ねて接合される複数の壁パネルの各端縁をコーナー部材に結合するものであるため、特に連結部材を、縦長の複数の壁パネルを左右方向に結合するための従来の結合具の連結部材のように１本の連続した長尺物とする必要がなく、複数に分割して短いものとすることができる。この結果、結合具の取り扱いが容易となり、該結合具を用いて複数の壁パネルの各端縁をコーナー部材に作業性良く容易に結合することができるとともに、結合具の軽量化及びコストダウンを図ることができる。
【００１７】
請求項２記載の発明によれば、連結部材に形成された各係合孔の幅広の挿通孔部に結合部材Ａ，Ｂを通してこれらを幅狭いスリット孔部に係合させことによって、壁パネルの各端縁をコーナー部材に作業性良く容易に結合すくことができる。
【００１８】
請求項３記載の発明によれば、連結部材に形成された２つの係合孔の挿通孔部のうち、壁パネルに取り付けられた結合部材Ａが通過する一方の挿通孔部の上下方向長さを他方の挿通孔部のそれよりも長く設定したため、連結部材をコーナー部材に取り付けられた一方の結合部材Ａに係合させてこれを仮止めした状態で、結合すべき壁パネルを略垂直に起こしてこれに取り付けられた結合部材Ｂを連結部材の他方の挿通孔部にそのまま通すことができる。因に、結合部材Ａが通過する連結部材の一方の挿通孔部の上下方向長さを他方の挿通孔部のそれ以下とすると、結合部材Ｂが連結部材のスリット孔部と干渉するため、該結合部材を挿通孔部に通すことができない。
【００１９】
請求項４記載の発明によれば、連結部材をコーナー部材に取り付けられた一方の結合部材Ａに係合させてこれを仮止めする際に突起がストッパとして機能するため、該連結部材を所定の位置に正確に仮止めすることができる。
【００２０】
請求項５記載の発明によれば、連結部材に形成された各係合孔の挿通孔部とスリット部とをテーパ面によって接続したため、挿通孔部を通過した結合部材Ａ，Ｂをスリット孔部にスムーズにガイドしてこれらを各スリット孔部に係合させることができる。
【００２１】
請求項６記載の発明によれば、一旦連結された壁パネルを分解する場合や結合作業時に連結部材が途中で引っ掛かって円滑に打ち込まれないような場合には、その上端部に形成されたスリット孔にドライバー等の工具の先端部を差し込んで該工具を壁パネルの上端面を支点として押し下げれば、てこの原理によって連結部材を小さな力で容易に押し上げてこれを抜き取ることができる。
【００２２】
請求項７記載の発明によれば、短尺の結合具を用いて複数の壁パネルの各端縁をコーナー部材に作業性良く容易に結合することができる。
【発明を実施するための最良の形態】
【００２３】
以下に本発明の実施の形態を添付図面に基づいて説明する。
【００２４】
先ず、本発明に係る結合具の構成を図１及び図２に基づいて説明する。尚、図１（ａ）は本発明に係る結合具を構成する結合部材の正面図、同図（ｂ）は同右側面図、同図（ｃ）は同平面図、図２は同結合具を構成する連結部材の正面図である。
【００２５】
図１に示す結合部材１は、樹脂にて一体成形されたものであって、これは縦長の矩形プレート状のベース２の高さ方向中央部に幅狭の係合部３を介して矩形プレート状の頭部４を一体に突設して構成されている。ここで、頭部４の幅寸法Ｂ１は係合部３の幅寸法ｂ１よりも大きく（Ｂ１＞ｂ１）設定されている。
【００２６】
又、この結合部材１の前記ベース２の係合部３及び頭部４を挟んでこれの上下には円孔状のビス孔５が形成されており、同ベース２の裏面側端縁の上下にはリブ６が直角にそれぞれ立設されている。
【００２７】
他方、図２に示す連結部材１１は縦長の金属製の矩形プレートで構成されており、その左右には縦方向に長い２段孔状の係合孔１２，１３が互いに平行に並設されている。これらの係合孔１２，１３の長さＬは共に等しく、それらの上下端同士は互いに揃えられて同一高さ位置に位置している。そして、一方の係合孔１２には、幅広の矩形状の挿通孔部１２ａと、該挿通孔部１２ａから上方に延びる幅狭の矩形孔状のスリット孔部１２ｂとが形成されており、これらの挿通孔部１２ａとスリット孔部１２ｂとは、下方に向かって広がるテーパ面１２ｃによって互いに接続されている。同様に、他方の係合孔１３も幅広の挿通孔部１３ａと幅狭のスリット孔部１３ｂとで構成され、両者はテーパ面１３ｃによって互いに接続されている。
【００２８】
ここで、連結部材１１に形成された各係合孔１２，１３のスリット孔部１２ｂ，１３ｂの幅寸法ｂ２は、各スリット孔１２ｂ，１３ｂ部に結合部材１の係合部３が係合し得る程度に、結合部材１の係合部３の幅寸法ｂ１よりも若干大きく（ｂ２＞ｂ１）、且つ、頭部４の幅寸法Ｂ１よりも小さく（ｂ２＜Ｂ１）設定されている。又、連結部材１１の係合孔１２，１３の各挿通孔部１２ａ，１３ａの幅寸法Ｂ２は、各挿通孔部１２ａ，１３ａを結合部材１の頭部４が通過し得るように、結合部材１の頭部４の幅寸法Ｂ１よりも大きく（Ｂ２＞Ｂ１）設定されている。
【００２９】
更に、一方の係合孔１３の挿通孔部１２ａの長さＬ２は他方の係合孔１２の挿通孔部１２ｂの長さＬ１よりも長く（Ｌ２＞Ｌ１）設定されている。そして、一方の係合孔１２のスリット孔部１２ｂの一方の内面には半円状の突起１４が一体に形成されている。
【００３０】
又、連結部材１１の上端部には、横方向に長い矩形状のスリット孔１５が上下方向に複数（図示例では、６つ）形成されている。
【００３１】
次に、以上の構成を有する結合具を用いて施工される壁パネルの結合方法を図３〜図１１に基づいて説明する。尚、図３はユニットバスルームの斜視図、図４（ａ）は結合部材のコーナーポストへの取付要領を示す部分斜視図、同図（ｂ）は同結合部材取付後の状態を示す部分斜視図、図５（ａ）は壁パネルの斜視図、同図（ｂ）は同図（ａ）のＡ部拡大詳細図、図６〜図１０は壁パネルの結合方法をその工程順に示す部分斜視図、図１１は連結部材の抜き取り要領を示す部分斜視図である。
【００３２】
図３に示すユニットバスルームにおいては、横長の複数の壁パネル２０を上下方向に積み重ねて接合するとともに、その両側端縁の上部を防水パネル２１の四隅に立設されたコーナーポスト３０（図４参照）に結合することによって側壁が構成されている。
【００３３】
ここで、ユニットバスルームには、洗い場を構成する防水パネル２１の長手方向に沿って浴槽２２が配置され、防水パネル２１には、不図示の排水口を覆う着脱可能な蓋２３が設けられている。そして、浴槽２２には水栓金具２４が付属しており、側壁の一部には手摺２５が縦方向に長く取り付けられている。
【００３４】
而して、各壁パネル２０の両側端部を前記コーナーポスト３０に結合するに際しては、先ず、図４（ｂ）に示すように、角パイプ状の前記コーナーポスト３０の側面に結合部材１（以下、１Ａとする）を取り付ける。即ち、図４（ａ）に示すように、結合部材１Ａの前記２つのビス孔５にビス７をそれぞれ通し、これらのビス７をコーナーポスト３０の側面に形成された下孔３１にねじ込むことによって、結合部材１Ａをコーナーポスト３０の側面に取り付ける。尚、このとき、結合部材１Ａに形成されたリブ６（図１参照）をコーナーポスト３０の側面に合わせることによって、結合部材１Ａをコーナーポスト３０に対して位置決めすることができる。又、コーナーポスト３０は、アルミニウムの押し出し型材によって構成されている。
【００３５】
又、図５（ａ）に示すように、横方向に長い壁パネル２０の裏面の両側端部の上端に結合部材１（以下、１Ｂとする）を取り付ける。即ち、図５（ｂ）に示すように、結合部材１Ｂの２つのビス孔５にビス７をそれぞれ通し、これらのビス７を壁パネル２０の裏面にねじ込むことによって、結合部材１Ｂを壁パネル２０の裏面の両側端部の上端に取り付ける。
【００３６】
次に、図６に示すように、コーナーポスト３０に取り付けられた前記結合部材１Ａの頭部４を連結部材１１の一方の係合孔１２の挿通孔部１２ａに通した後、連結部材１１のスリット孔部１２ｂに結合部材１Ａの係合部３（図１参照）を係合させ、連結部材１１をスリット孔部１２ｂに形成された突起１４（図１参照）が結合部材１Ａの係合部３の上端面に当接するまで押し下げて該連結部材１１を図７に示すように結合部材１Ａに仮止めする。このように、連結部材１１を結合部材１Ａに係合させてこれを仮止めする際に突起１４がストッパとして機能するため、該連結部材１１を所定の位置に正確に仮止めすることができる。又、連結部材１１に形成された係合孔１２の挿通孔部１２ａとスリット部１２ｂとをテーパ面１２ｃによって接続したため（図２参照）、頭部４が挿通孔部１２ａを通過した結合部材１Ａの係合部３をテーパ面１２ｃに沿ってガイドしながらこれをスリット孔部１２ｂにスムーズに係合させることができる。
【００３７】
上述のように連結部材１１がコーナーポスト３０側の結合部材１Ａに仮止めされると、その状態を維持したまま、壁パネル２０を図７に示すように略垂直に起立させ、図８に示すように、該壁パネル２０に取り付けられた結合部材１Ｂの頭部４を連結部材１１の他方の係合孔１３の挿通孔部１３ａに通す。尚、このとき、前述のように連結部材１１に形成された２つの係合孔１２，１３の挿通孔部１２ａ，１３ａのうち、一方の係合孔１３の挿通孔部１３ａの上下方向長さＬ２を他方の係合孔１２の挿通孔部１２ａの長さＬ１よりも長く（Ｌ２＞Ｌ１）設定したため（図１参照）、壁パネル２０を略垂直に起こしてこれに取り付けられた結合部材１Ｂを連結部材１１の係合孔１３の挿通孔部１３ａにそのまま通すことができる。因に、結合部材１Ｂが通過する連結部材１１の一方の係合孔１３の挿通孔部１３ａの上下方向長さを他方の係合孔１２の挿通孔部１２ａの長さ以下とすると、結合部材１Ｂが連結部材１１の係合孔１３のスリット孔部１３ｂと干渉するため、該結合部材１Ｂを係合孔１３の挿通孔部１３ａに通すことができない。
【００３８】
而して、上述のように壁パネル２０に取り付けられた結合部材１Ｂの頭部４を連結部材１１の他方の係合孔１３の挿通孔部１３ａに通した状態で、連結部材１１を若干押し下げて係合孔１３のスリット孔部１３ｂに結合部材１Ｂの係合部３を係合させる。すると、図８に示すように、壁パネル２０は連結部材１１によってコーナーポスト３０に仮止めされる。尚、このときも連結部材１１に形成された係合孔１３の挿通孔部１３ａとスリット部１３ｂとをテーパ面１３ｃによって接続したため（図２参照）、頭部４が挿通孔部１３ａを通過した結合部材１Ｂの係合部３をテーパ面１３ｃに沿ってガイドしながらこれをスリット孔部１３ｂにスムーズに係合させることができる。
【００３９】
その後、図９に示すように、連結部材１１の上端面に薄い当て木４０を添え、上から例えばプスチックハンマー５０で連結部材１１の上端面を叩き込めば、該連結部材１１は、これに形成された係合孔１２，１３のスリット孔部１２ｂ，１３ｂに係合する結合部材１Ａ，１Ｂの係合部３に沿って下方へと押し込まれ、係合孔１２，１３のスリット孔部１２ｂ，１３ｂの上端面が結合部材１Ａ，１Ｂの係合部３の上端面にそれぞれ当接した時点で両結合部材１Ａ，１Ｂが連結部材１１によって係止されるため、図１０に示すように、結合部材１Ａ，１Ｂと連結部材１１から成る結合具によって壁パネル２０の側端縁の上部がコーナーポスト３０に結合される。尚、壁パネル２０がコーナーポスト３０に結合された状態では、両結合部材１Ａ，１Ｂの各リブ６同士が互いに当接するため、壁パネル２０の側端面とコーナーポスト３０との間には各リブ６の厚さの２倍（本実施の形態では、２ｍｍ）の目地としての隙間が正確に形成される。
【００４０】
以上の作業を各壁パネル２０に対して繰り返すことによって、上下方向に積み重ねて接合される複数の壁パネル２０の各両側端縁がコーナーポスト３０に順次結合され、図３に示すようなユニットバスルームの側壁が構築される。
【００４１】
以上において、本発明に係る結合具は、上下に積み重ねて接合される複数の壁パネル２０の各端縁をコーナーポスト３０に結合するものであるため、特に連結部材１１を、図１３に示すような縦長の複数の壁パネル１２０を左右方向に結合するための従来の結合具の連結部材１１（図１２参照）のように１本の連続した長尺物とする必要がなく、複数に分割して短いものとすることができる。この結果、連結部材１１を含んで構成される結合具の取り扱いが容易となり、該結合具を用いて複数の壁パネル２０の各端縁をコーナーポスト３０に作業性良く容易に結合することができるとともに、結合具の軽量化及びコストダウンを図ることができる。
【００４２】
ところで、一旦連結された壁パネル２０を分解する場合や結合作業時に連結部材１１が途中で引っ掛かって円滑に打ち込まれないような場合には、図１１に示すように、連結部材１１の上端部に形成された複数のスリット孔１５にドライバー等の工具６０の先端部を差し込んで該工具５０を壁パネル２０の上端面を支点として押し下げれば、てこの原理によって連結部材１１を小さな力で容易に押し上げてこれを抜き取ることができる。
【産業上の利用可能性】
【００４３】
本発明は、ユニットバスルームの壁面の他、洗面室等、他の任意の部屋の壁面の構築における壁パネルの結合に対して適用可能である。
【図面の簡単な説明】
【００４４】
【図１】（ａ）は本発明に係る結合具を構成する結合部材の正面図、（ｂ）は同右側面図、（ｃ）は同平面図である。
【図２】本発明に係る結合具を構成する連結部材の正面図である。
【図３】ユニットバスルームの斜視図である。
【図４】（ａ）は結合部材のコーナーポストへの取付要領を示す部分斜視図、（ｂ）は同結合部材取付後の状態を示す部分斜視図である。、図５（ａ）は壁パネルの斜視図、同図（ｂ）は同図（ａ）のＡ部拡大詳細図、図６〜図１０は壁パネルの結合方法をその工程順に示す部分斜視図、図１１は連結部材の抜き取り要領を示す部分斜視図である。
【００４５】
【図５】（ａ）は壁パネルの斜視図、（ｂ）は（ａ）のＡ部拡大詳細図である。
【図６】本発明に係る壁パネルの結合方法を示す部分斜視図である。
【図７】本発明に係る壁パネルの結合方法を示す部分斜視図である。
【図８】本発明に係る壁パネルの結合方法を示す部分斜視図である。
【図９】本発明に係る壁パネルの結合方法を示す部分斜視図である。
【図１０】本発明に係る壁パネルの結合方法を示す部分斜視図である。
【図１１】連結部材の抜き取り要領を示す部分斜視図である。
【図１２】ユニットバスルームの斜視図である。
【図１３】従来の結合具とこれによって結合される２枚の壁パネルの正面図である。
【符号の説明】
【００４６】
１Ａ    連結部材（連結部材Ａ）
１Ｂ    連結部材（連結部材Ｂ）
２      ベース
３      係合部
４      頭部
５      ビス孔
６      リブ
７      ビス
１１    連結部材
１２，１３      係合孔
１２ａ，１３ａ  挿通孔部
１２ｂ，１３ｂ  スリット孔部
１２ｃ，１３ｃ  テーパ面
１４    突起
１５    スリット孔
２０    壁パネル
３０    コーナーポスト（コーナー部材）
【図１】
2006016837.tif 000003
【図２】
2006016837.tif 000004
【図３】
2006016837.tif 000005
【図４】
2006016837.tif 000006
【図５】
2006016837.tif 000007
【図６】
2006016837.tif 000008
【図７】
2006016837.tif 000009
【図８】
2006016837.tif 000010
【図９】
2006016837.tif 000011
【図１０】
2006016837.tif 000012
【図１１】
2006016837.tif 000013
【図１２】
2006016837.tif 000014
【図１３】
2006016837.tif 000015